(57)【特許請求の範囲】
【請求項１】
RF(Radio Frequency)信号から、必要な周波数帯域の、ディジタル変調された変調信号を出力するRFチューナと、
前記RFチューナからの変調信号から、TS(Transport Stream)を復元して処理する復調装置と、
RF信号に含まれる前記TSをシリアルで出力するときのデータレートであるシリアルレート以上の周波数の複数のクロックから、前記TSのデータのタイミングを表すTSクロックとなる１つのクロックを選択して出力する選択部を備え、
前記RFチューナと前記復調装置とが１チップで一体的に構成される
信号処理装置。
【請求項２】
所定のシステムクロックを分周することにより、前記シリアルレート以上の周波数の複数のクロックを生成する分周部をさらに備える
請求項１に記載の信号処理装置。
【請求項３】
所定のシステムクロックを分周することにより生成されたクロックを分周することにより、前記シリアルレート以上の周波数の複数のクロックを生成する分周部をさらに備える
請求項１に記載の信号処理装置。
【請求項４】
所定のシステムクロックを分周することにより、前記シリアルレート以上の周波数の複数の中間クロックを生成する第１の分周部と、
前記第１の分周部で生成された複数の中間クロックから選択された１つの中間クロックを分周することにより、前記シリアルレート以上の周波数の複数のクロックを生成する第２の分周部と
をさらに備え、
前記第１の分周部で生成された複数の中間クロックから１つの中間クロックを選択する第１の選択部と、
前記第２の分周部が前記第１の選択部で選択された１つの中間クロックを分周することにより生成されるシリアルレート以上の周波数の複数のクロックから、１つのクロックを選択して出力する第２の選択部と
を、前記選択部として備える
請求項１に記載の信号処理装置。
【請求項５】
前記選択部によるクロックの選択を制御する制御部をさらに備え、
前記制御部は、RF信号への影響が小さい周波数のクロックを選択させる
請求項４に記載の信号処理装置。
【請求項６】
前記TSは、前記RF信号の復調、及び、誤り訂正を行うことにより得られ、
前記制御部は、前記誤り訂正の結果に基づいて、前記選択部によるクロックの選択を制御する
請求項５に記載の信号処理装置。
【請求項７】
信号処理装置の信号処理方法であって、
前記信号処理装置は、RF(Radio Frequency)信号から、必要な周波数帯域の、ディジタル変調された変調信号を出力するRFチューナと、前記RFチューナからの変調信号から、TS(Transport Stream)を復元して処理する復調装置とが１チップで一体的に構成されており、
RF信号に含まれる前記TSをシリアルで出力するときのデータレートであるシリアルレート以上の周波数の複数のクロックから、前記TSのデータのタイミングを表すTSクロックとなる１つのクロックを選択して出力する選択ステップを含む
信号処理方法。
【発明の詳細な説明】
【技術分野】
【０００１】
本技術は、信号処理装置、及び、信号処理方法に関し、特に、例えば、RF(Radio Frequency)信号に含まれるTS(Transport Stream)をシリアルで出力するときの、TSのデータのタイミングを表すTSクロックやその高調波が、RF信号のノイズとなって、RF信号を受信する受信システムの受信性能を低下させることを防止することができるようにする信号処理装置、及び、信号処理方法に関する。
【背景技術】
【０００２】
例えば、ディジタル放送では、画像（動画）等が、MPEG(Moving Picture Experts Group)等の所定のエンコード方式でエンコードされ、その結果得られるエンコードデータがペイロードに配置されたTSパケットで構成されるTSを含むRF信号が送信される。
【０００３】
ディジタル放送を受信する受信システムでは、RF信号の復調、及び、誤り訂正が行われることによって、TSが復元されて出力される。
【０００４】
受信システムにおいて、誤り訂正を行うFEC(Forward Error Correction)モジュールから出力される信号としては、TSや、TSのデータのタイミングを表すTSクロック信号等がある（例えば、特許文献１）。
【先行技術文献】
【特許文献】
【０００５】
【特許文献１】特開2008-167115号公報
【発明の概要】
【発明が解決しようとする課題】
【０００６】
FECモジュールが、TSを、シリアルで出力する場合、TSクロックは、TSの（シリアルの）データレート以上の高い周波数の信号となる。
【０００７】
従来の受信システムでは、TSクロックとして、固定の周波数のクロックが出力されるため、その周波数によっては、TSクロックやその高調波が、RF信号のノイズとして、RF信号に大きな影響を与え、受信システムの受信性能が低下することがある。
【０００８】
本技術は、このような状況に鑑みてなされたものであり、TSクロックやその高調波が、TSを含むRF信号のノイズとなって、RF信号を受信する受信システムの受信性能を低下させることを防止することができるようにするものである。
【課題を解決するための手段】
【０００９】
本技術の一側面の信号処理装置は、RF(Radio Frequency)信号から、必要な周波数帯域の、ディジタル変調された変調信号を出力するRFチューナと、前記RFチューナからの変調信号から、TS(Transport Stream)を復元して処理する復調装置と、RF信号に含まれる前記TSをシリアルで出力するときのデータレートであるシリアルレート以上の周波数の複数のクロックから、前記TSのデータのタイミングを表すTSクロックとなる１つのクロックを選択して出力する選択部を備え、前記RFチューナと前記復調装置とが１チップで一体的に構成される信号処理装置である。
【００１０】
本技術の一側面の信号処理方法は、信号処理装置の信号処理方法であって、前記信号処理装置は、RF(Radio Frequency)信号から、必要な周波数帯域の、ディジタル変調された変調信号を出力するRFチューナと、前記RFチューナからの変調信号から、TS(Transport Stream)を復元して処理する復調装置とが１チップで一体的に構成されており、RF信号に含まれる前記TSをシリアルで出力するときのデータレートであるシリアルレート以上の周波数の複数のクロックから、前記TSのデータのタイミングを表すTSクロックとなる１つのクロックを選択して出力する選択ステップを含む。
【００１１】
本技術の一側面においては、RF(Radio Frequency)信号から、必要な周波数帯域の、ディジタル変調された変調信号を出力するRFチューナと、前記RFチューナからの変調信号から、TS(Transport Stream)を復元して処理する復調装置とが１チップで一体的に構成されており、RF信号に含まれる前記TSをシリアルで出力するときのデータレートであるシリアルレート以上の周波数の複数のクロックから、前記TSのデータのタイミングを表すTSクロックとなる１つのクロックを選択されて出力される。
【００１２】
なお、信号処理装置は、独立した装置であっても良いし、独立した装置の内部ブロックであっても良い。
【発明の効果】
【００１３】
本技術によれば、受信性能の低下を防止することができる。特に、例えば、TSクロックやその高調波が、TSを含むRF信号のノイズとなって、RF信号を受信する受信システムの受信性能を低下させることを防止することができる。
【図面の簡単な説明】
【００１４】
【図１】本技術が適用される受信システムの構成例を示すブロック図である。
【図２】本技術の信号処理装置を適用した受信システムの第１実施の形態の構成例を示すブロック図である。
【図３】TSインタフェース２３、及び、クロック生成部３０の構成例を示すブロック図である。
【図４】選択部３４において、複数のTSIF用クロックから、１つのTSIF用クロックを選択するクロック選択の処理を説明するフローチャートである。
【図５】本技術の信号処理装置を適用した受信システムの第２実施の形態の構成例を示すブロック図である。
【図６】クロック生成部１４、及び、TSインタフェース５０の構成例を示すブロック図である。
【図７】TSIF用クロックと、2分周部４２ないし3+4分周部４６において、TSIF用クロックを分周することにより生成される分周クロックとの例を示す波形図である。
【図８】選択部４７において、複数の分周クロックから、１つの分周クロックを選択するクロック選択の処理を説明するフローチャートである。
【図９】本技術の信号処理装置を適用した受信システムの第３実施の形態の構成例を示すブロック図である。
【図１０】本技術を適用したコンピュータの一実施の形態の構成例を示すブロック図である。
【発明を実施するための形態】
【００１５】
［本技術が適用される受信システム］
【００１６】
図１は、本技術が適用される受信システムの構成例を示すブロック図である。
【００１７】
図１の受信システムは、例えば、ディジタル放送を受信する。
【００１８】
すなわち、図１において、受信システムは、アンテナ１１、RFチューナ１２、復調装置１３、及び、クロック生成部１４を有する。
【００１９】
アンテナ１１は、例えば、TSを含むディジタル放送のRF信号を受信し、RFチューナ１２に供給する。
【００２０】
RFチューナ１２は、アンテナ１１からのRF信号から、必要な周波数帯域の、ディジタル変調された変調信号を、復調装置１３に供給する。
【００２１】
復調装置１３は、RFチューナ１２からの変調信号から、TSを復元して処理する。
【００２２】
すなわち、復調装置１３は、復調部２１、FEC部２２、及び、TSインタフェース２３を有する。
【００２３】
復調部２１は、RFチューナ１２からの変調信号を復調し、その結果得られる復調信号を、FEC部２２に供給する。
【００２４】
FEC部２２は、復調部２１からの復調信号の誤り訂正を行い、その結果得られるTS等の信号を、TSインタフェース２３に供給する。
【００２５】
TSインタフェース２３は、TSを、外部に出力する出力制御を行う出力制御部として機能するインタフェースであり、FEC部２２からのTSのデータのタイミングを表すTSクロックとともに、そのTSクロックに同期させて、FEC部２２からのTSを出力する。
【００２６】
クロック生成部１４は、例えば、PLL(Phase Lock Loop)で構成され、受信システムを構成する各部を動作させるための基本（ベース）となるシステムクロックを生成する。
【００２７】
さらに、クロック生成部１４は、システムクロックから、例えば、復調装置１３を構成する復調部２１、FEC部２２、及び、TSインタフェース２３それぞれを動作させるためのクロックを生成し、復調部２１、FEC部２２、及び、TSインタフェース２３に供給する。復調部２１、FEC部２２、及び、TSインタフェース２３は、クロック生成部１４から供給されるクロックに従って動作する。
【００２８】
以上のように構成される受信システムでは、アンテナ１１で、TSを含むディジタル放送のRF信号が受信され、RFチューナ１２に供給される。RFチューナ１２は、アンテナ１１からのRF信号から、例えば、ユーザの操作等に従った所定の周波数帯域の変調信号を抽出し、復調装置１３に供給する。
【００２９】
復調装置１３では、変調信号の復調、及び、誤り訂正が、復調部２１、及び、FEC部２２においてそれぞれ行われ、その結果得られるTSが、TSインタフェース２３に供給される。
【００３０】
TSインタフェース２３は、クロック生成部１４から供給されるクロックから、TSクロックを得て、そのTSクロックを出力する。さらに、TSインタフェース２３は、TSクロックに同期させて、FEC部２２からのTSを、シリアルで出力する。
【００３１】
以上のような受信システムにおいて、TSクロックが、固定の周波数のクロックである場合、そのTSクロックや高調波が、図中、点線で示すように、RFチューナ１２に供給されるRF信号のノイズとして、RF信号に大きな影響を与える周波数の信号になっており、RFスプリアス妨害が生じるときには、そのRFスプリアス妨害を回避することができず、受信システムの受信性能が低下することがある。
【００３２】
特に、RFチューナ１２と復調装置１３とが、1チップで一体的に構成される場合には、特定の周波数のTSクロックや高調波が、RFチューナ１２に供給されるRF信号にとって、大きなノイズとなることがある。
【００３３】
［本技術を適用した受信システムの第１実施の形態の構成例］
【００３４】
そこで、図２は、本技術の信号処理装置を適用した受信システムの第１実施の形態の構成例を示すブロック図である。
【００３５】
なお、図中、図１の場合と対応する部分については、同一の符号を付してあり、以下では、その説明は、適宜省略する。
【００３６】
図２において、受信システムは、アンテナ１１、RFチューナ１２、及び、復調装置１３を有する点で、図１の場合と共通する。
【００３７】
但し、図２の受信システムは、クロック生成部１４に代えて、クロック生成部３０が設けられている点で、図１の場合と相違する。
【００３８】
クロック生成部３０は、図１のクロック生成部１４と同様に、システムクロックを生成し、そのシステムクロックから、復調装置１３を構成する復調部２１、FEC部２２、及び、TSインタフェース２３それぞれを動作させるためのクロックを生成して、復調部２１、FEC部２２、及び、TSインタフェース２３に供給する。
【００３９】
但し、クロック生成部３０は、TSインタフェース２３を動作させるためのクロック（以下、TSIF用クロックともいう）については、TSをシリアルで出力するときのデータレートであるシリアルレート以上の周波数の複数のクロックを生成し、その複数のクロックから１つのクロックを選択して、TSインタフェース２３に供給する。
【００４０】
［TSインタフェース２３、及び、クロック生成部３０の構成例］
【００４１】
図３は、図２のTSインタフェース２３、及び、クロック生成部３０の構成例を示すブロック図である。
【００４２】
TSインタフェース２３は、PS(Parallel Serial)変換部４１を有する。
【００４３】
PS変換部４１には、FEC部２２から、TS（TSパケット）が、パラレル、すなわち、例えば、8ビット単位等の並列で供給される。
【００４４】
さらに、PS変換部４１には、クロック生成部３０から、シリアルレート以上の周波数のTSIF用クロックが供給される。
【００４５】
TSインタフェース２３は、クロック生成部３０からのTSIF用クロックを、TSクロックとして出力する。
【００４６】
また、TSインタフェース２３では、PS変換部４１が、FEC部２２からのパラレルのTSを受信し、1ビットずつ、シリアルで出力する。
【００４７】
このとき、PS変換部４１は、シリアルでのTSの出力を、クロック生成部３０からのTSIF用クロック、すなわち、TSクロックに同期して行う。
【００４８】
クロック生成部３０は、水晶振動子３１、PLL３２、可変分周部３３、選択部３４、及び、制御部３５を有する。
【００４９】
水晶振動子３１は、PLL３２の発振の基準（ベース）となる基準信号を出力する。ここで、受信システムが、地上波放送を受信するシステムである場合、水晶振動子３１が基準信号（として出力する信号）の周波数は、例えば、41MHzである。
【００５０】
PLL３２は、水晶振動子３２からの基準信号と、例えば、PLL３２が出力する出力信号を16分周した信号との位相比較によって、基準信号の16倍の周波数のパルス状の信号を、システムクロックとして生成し、可変分周部３３に供給する。
【００５１】
したがって、基準信号が、41MHzの信号である場合、システムクロックの周波数は、656MHz＝41MHz×16となる。
【００５２】
可変分周部３３は、可変の分周比で、複数の分周比による分周を行うことが可能な分周器であり、PLL３２からのシステムクロックを分周することにより、復調部２１を動作させるための１つのクロック（以下、復調部用クロックともいう）と、FEC部２２を動作させるための１つのクロック（以下、FEC部用クロックともいう）とを生成する。
【００５３】
そして、可変分周部３３は、復調部用クロックを、復調部２１に供給するとともに、FEC部用クロックを、FEC部２２に供給する。
【００５４】
また、可変分周部３３は、PLL３２からのシステムクロックを分周することにより、TSインタフェース部２３を動作させるための、シリアルレート以上の周波数の複数のTSIF用クロックを生成し、選択部３４に供給する。
【００５５】
ここで、図３では、可変分周部３３において、システムクロックの5分周、4分周、及び、3分周が行われ、131.2MHz，164.0MHz、及び、218.6MHzの３つの周波数のTSIF用クロックが生成されている。
【００５６】
なお、本実施の形態において、N分周とは、信号の周波数を1/N倍にする処理（信号の周期をN倍）にする処理であり、その処理の方法は、特に限定されるものではない。
【００５７】
また、図３では、可変分周部３３において、３つの周波数のTSIF用クロックを生成しているが、可変分周部３３において生成するTSIF用クロックの数は、３つ以外の２つや４つ以上であっても良い。
【００５８】
さらに、分周比は、本実施の形態で明示する値に限定されるものではなく、0より大の任意の値を採用することができる。なお、分周比が1の分周とは、分周前の信号を、そのまま分周後の信号として出力することを意味する。また、分周比が1未満の分周は、逓倍に相当する。
【００５９】
選択部３４は、制御部３５から供給される選択信号に従って、可変分周部３３から供給される複数としての３つのTSIF用クロックから、１つのTSIF用クロックを選択し、TSインタフェース２３に供給する。
【００６０】
制御部３５は、例えば、FEC部２２での誤り訂正の結果等に基づいて、選択部３４に、１つのTSIF用クロックを選択することを指示する選択信号を生成し、選択部３４に供給することで、選択部３４を制御する。
【００６１】
以上のように構成されるTSインタフェース２３、及び、クロック生成部３０では、PLL３２が、システムクロックを生成し、可変分周部３３に供給する。
【００６２】
可変分周部３３は、PLL３２からのシステムクロックを分周することにより、１つの復調部用クロック、１つのFEC部用クロック、及び、複数としての３つの周波数の異なるTSIF用クロックを生成する。
【００６３】
そして、可変分周部３３は、復調部用クロックを、復調部２１に、FEC部用クロックを、FEC部２２に、３つのTSIF用クロックを、選択部３４に、それぞれ供給する。
【００６４】
選択部３４は、制御部３５から供給される選択信号に従って、可変分周部３３からの３つのTSIF用クロックから、１つのTSIF用クロックを選択し、TSインタフェース２３に供給する。
【００６５】
TSインタフェース２３は、クロック生成部３０からのTSIF用クロックを、TSクロックとして出力する。
【００６６】
さらに、TSインタフェース２３では、PS変換部４１が、FEC部２２からのパラレルのTSを受信して、シリアルデータに変換し、クロック生成部３０からのTSIF用クロック、すなわち、TSクロックに同期して出力する。
【００６７】
図４は、図３の選択部３４において、複数のTSIF用クロックから、１つのTSIF用クロックを選択するクロック選択の処理を説明するフローチャートである。
【００６８】
ステップＳ１１において、選択部３４は、制御部３５から選択信号が供給されるのを待って、その選択信号を受信する。
【００６９】
ここで、制御部３５は、例えば、FEC部２２での誤り訂正の結果に基づき、誤り訂正が失敗する頻度が高い場合に、選択部３４に、現在選択しているTSIF用クロック以外のTSIF用クロックの選択を指示する選択信号を生成して、選択部３４に供給する。
【００７０】
あるいは、また、制御部３５は、例えば、可変分周部３３から供給される複数のTSIF用クロックを順次選択することを指示する選択信号を生成して、選択部３４に供給し、その後、FEC部２２での誤り訂正の結果に基づき、誤り訂正を失敗する頻度が最も低かったTSIF用クロックを選択することを指示する選択信号を生成して、選択部３４に供給する。
【００７１】
ステップＳ１２において、選択部３４は、制御部３５から供給される選択信号に従って、可変分周部３３からの３つのTSIF用クロックから、１つのTSIF用クロックを選択し、TSインタフェース２３に供給し、処理を終了する。
【００７２】
以上のように、RF信号に含まれるTSをシリアルで出力するときのデータレートであるシリアルレート以上の周波数の複数のクロック（TSIF用クロック）から、TSクロックとなる１つのクロックを選択して出力するので、TSクロックやその高調波が、RF信号のノイズとなって、RF信号を受信する受信システムの受信性能を低下させることを防止することができる。
【００７３】
すなわち、選択部３４でのTSIF用クロックの選択によって、RF信号のノイズとなるTSクロックやその高調波の周波数をずらすことができ、選択部３４において、RF信号への影響がなるべく小さい周波数のTSIF用クロックを選択することによって、受信システムの受信性能の低下を防止（軽減）することができる。
【００７４】
［本技術を適用した受信システムの第２実施の形態の構成例］
【００７５】
図５は、本技術の信号処理装置を適用した受信システムの第２実施の形態の構成例を示すブロック図である。
【００７６】
なお、図中、図１又は図２の場合と対応する部分については、同一の符号を付してあり、以下では、その説明は、適宜省略する。
【００７７】
図５において、受信システムは、アンテナ１１、RFチューナ１２、復調装置１３、及び、クロック生成部１４を有する点で、図１の場合と共通する。
【００７８】
但し、図５の受信システムは、復調装置１３が、TSインタフェース２３に代えて、TSインタフェース５０を有する点で、図１の場合と相違する。
【００７９】
TSインタフェース５０は、TSを、外部に出力する出力制御を行う出力制御部として機能する点で、図１のTSインタフェース２３（図３）と共通する。
【００８０】
但し、TSインタフェース５０は、クロック生成部１４から供給されるTSIF用クロックを分周することにより、シリアルレート以上の周波数の複数のクロックを生成し、その複数のクロックから、TSクロックとなる１つのクロックを選択する点で、クロック生成部１４から供給されるTSIF用クロックが、常時、TSクロックとして使用されるTSインタフェース２３（図１、図２、図３）と相違する。
【００８１】
［クロック生成部１４、及び、TSインタフェース５０の構成例］
【００８２】
図６は、図５のクロック生成部１４、及び、TSインタフェース５０の構成例を示すブロック図である。
【００８３】
なお、図中、図３のTSインタフェース２３、及び、クロック生成部３０と共通する部分については、同一の符号を付してあり、以下では、その説明は、適宜省略する。
【００８４】
クロック生成部１４は、水晶振動子３１、及び、PLL３２を有する点で、図３のクロック生成部３０と共通する。
【００８５】
但し、クロック生成部１４は、可変分周部３３に代えて、可変分周部６１が設けられている点、並びに、選択部３４、及び、制御部３５を有しない点で、図３のクロック生成部３０と相違する。
【００８６】
クロック生成部１４において、可変分周部６１は、図３の可変分周部３３と同様に、PLL３２からのシステムクロックを分周することにより、１つの復調部用クロックと、１つのFEC部用クロックとを生成し、復調部用クロックを、復調部２１に供給するとともに、FEC部用クロックを、FEC部２２に供給する。
【００８７】
また、可変分周部６１は、PLL３２からのシステムクロックを分周することにより、（複数ではなく、）１つのTSIF用クロックを生成し、TSインタフェース５０に供給する。
【００８８】
TSインタフェース５０は、PS変換部４１を有する点で、図３のTSインタフェース２３と共通する。
【００８９】
但し、TSインタフェース５０は、2分周部４２、3分周部４３、4分周部４４、2+3分周部４５、3+4分周部４６、選択部４７、及び、制御部４８を有する点で、図３のTSインタフェース２３と相違する。
【００９０】
2分周部４２ないし3+4分周部４６には、クロック生成部１４（の可変分周部６１）から、TSIF用クロックが供給される。
【００９１】
2分周部４２ないし3+4分周部４６は、クロック生成部１４からのTSIF用クロックを分周することにより、シリアルレート以上の周波数の複数のクロックとしての５つのクロックを生成し、選択部４７に供給する。
【００９２】
すなわち、2分周部４２は、クロック生成部１４からのTSIF用クロックの2分周を行うことにより、そのTSIF用クロックの周波数の1/2の周波数の2分周クロックを生成し、選択部４７に供給する。
【００９３】
3分周部４３は、クロック生成部１４からのTSIF用クロックの3分周を行うことにより、そのTSIF用クロックの周波数の1/3の周波数の3分周クロックを生成し、選択部４７に供給する。
【００９４】
4分周部４４は、クロック生成部１４からのTSIF用クロックの4分周を行うことにより、そのTSIF用クロックの周波数の1/4の周波数の4分周クロックを生成し、選択部４７に供給する。
【００９５】
2+3分周部４５は、クロック生成部１４からのTSIF用クロックの2分周と3分周を行うことにより、2分周クロックと3分周クロックとが混在した2+3分周クロックを生成し、選択部４７に供給する。
【００９６】
3+4分周部４６は、クロック生成部１４からのTSIF用クロックの3分周と4分周を行うことにより、3分周クロックと4分周クロックとが混在した3+4分周クロックを生成し、選択部４７に供給する。
【００９７】
なお、2分周クロック、3分周クロック、4分周クロック、2+3分周クロック、及び、3+4分周クロックの周波数は、いずれも、シリアルレート以上になっている。
【００９８】
選択部４７は、制御部４８から供給される選択信号に従って、2分周部４２ないし3+4分周部４６から供給される５つの分周クロック（2分周クロック、3分周クロック、4分周クロック、2+3分周クロック、及び、3+4分周クロック）から、１つの分周クロックを選択し、TSクロックとして出力するとともに、PS変換部４１に供給する。
【００９９】
制御部４８は、例えば、FEC部２２での誤り訂正の結果等に基づいて、選択部４７に、１つの分周クロックを選択することを指示する選択信号を生成し、選択部４７に供給することで、選択部４７を制御する。
【０１００】
以上のように構成されるクロック生成部１４、及び、TSインタフェース５０では、PLL３２が、システムクロックを生成し、可変分周部６１に供給する。
【０１０１】
可変分周部６１は、PLL３２からのシステムクロックを分周することにより、１つの復調部用クロック、１つのFEC部用クロック、及び、１つのTSIF用クロックを生成する。
【０１０２】
そして、可変分周部６１は、復調部用クロックを、復調部２１に、FEC部用クロックを、FEC部２２に、TSIF用クロックを、TSインタフェース５０に、それぞれ供給する。
【０１０３】
TSインタフェース５０では、2分周部４２ないし3+4分周部４６において、可変分周部６１からのTSIF用クロックが分周されることにより、周波数成分が異なる５つの分周クロックである、2分周クロック、3分周クロック、4分周クロック、2+3分周クロック、及び、3+4分周クロックが生成され、選択部４７に供給される。
【０１０４】
選択部４７は、制御部４８から供給される選択信号に従って、可変分周部６１からの５つの分周クロックから、１つの分周クロックを選択し、TSクロックとして出力するとともに、PS変換部４１に供給する。
【０１０５】
PS変換部４１は、FEC部２２からのパラレルのTSを受信し、選択部４７からのTSクロックに同期して、シリアルで出力する。
【０１０６】
［TSIF用クロックと、分周クロック］
【０１０７】
図７は、TSIF用クロックと、2分周部４２ないし3+4分周部４６において、TSIF用クロックを分周することにより生成される分周クロックとの例を示す波形図である。
【０１０８】
2分周クロックは、TSIF用クロックの周波数の1/2の周波数のクロックになっている。同様に、3分周クロックは、TSIF用クロックの周波数の1/3の周波数のクロックになっており、4分周クロックは、TSIF用クロックの周波数の1/4の周波数のクロックになっている。
【０１０９】
2+3分周クロックは、TSIF用クロックの周波数の1/2の周波数の2分周クロックと、TSIF用クロックの周波数の1/3の周波数の3分周クロックとが混在したクロックであり、2分周クロックの1周期分と、3分周クロックの1周期分とが交互に並んだクロックになっている。
【０１１０】
3+4分周クロックは、TSIF用クロックの周波数の1/3の周波数の3分周クロックと、TSIF用クロックの周波数の1/4の周波数の4分周クロックとが混在したクロックであり、3分周クロックの1周期分と、4分周クロックの1周期分とが交互に並んだクロックになっている。
【０１１１】
図８は、図６の選択部４７において、複数の分周クロックから、１つの分周クロックを選択するクロック選択の処理を説明するフローチャートである。
【０１１２】
ステップＳ２１において、選択部４７は、制御部４８から選択信号が供給されるのを待って、その選択信号を受信する。
【０１１３】
ここで、制御部４８は、図３の制御部３５と同様に、選択信号を生成して、選択部４７に供給する。
【０１１４】
すなわち、制御部４８は、例えば、FEC部２２での誤り訂正の結果に基づき、誤り訂正が失敗する頻度が高い場合に、選択部４７に、現在選択している分周クロック以外の分周クロックの選択を指示する選択信号を生成して、選択部４７に供給する。
【０１１５】
あるいは、また、制御部４８は、例えば、2分周部４２ないし3+4分周部４６が出力する５つの分周クロックを順次選択することを指示する選択信号を生成して、選択部４７に供給し、その後、FEC部２２での誤り訂正の結果に基づき、誤り訂正を失敗する頻度が最も低かった分周クロックを選択することを指示する選択信号を生成して、選択部４７に供給する。
【０１１６】
ステップＳ２２において、選択部４７は、制御部４８から供給される選択信号に従って、2分周部４２ないし3+4分周部４６が出力する５つの分周クロックから、１つの分周クロックを選択し、TSクロックとして出力するとともに、PS変換部４１に供給して、処理を終了する。
【０１１７】
以上のように、RF信号に含まれるTSをシリアルで出力するときのデータレートであるシリアルレート以上の周波数の複数のクロック（分周クロック）から、TSクロックとなる１つのクロックを選択して出力するので、TSクロックやその高調波が、RF信号のノイズとなって、RF信号を受信する受信システムの受信性能を低下させることを防止することができる。
【０１１８】
すなわち、選択部４７での分周クロックの選択によって、RF信号のノイズとなるTSクロックやその高調波の周波数をずらすことができ、選択部４７において、RF信号への影響がなるべく小さい周波数の分周クロックを選択することによって、受信システムの受信性能の低下を防止（軽減）することができる。
【０１１９】
なお、図６では、2分周クロック及び3分周クロック等の、異なる分周比の分周で得られる分周クロックを混在した、2+3分周クロック等の分周クロック（以下、混在クロックともいう）が生成されるが、混在クロックは、その混在クロックの生成に用いられた単一の周波数の分周クロックに比較して、周波数（振幅）特性のピークが小さくなる。
【０１２０】
したがって、混在クロックは、その混在クロックの生成に用いられた単一の周波数の分周クロックに比較して、ノイズとしてのレベルが小さいということができ、そのような混在クロックによれば、RF信号への、ノイズとしての影響を軽減することが可能となる。
【０１２１】
［本技術を適用した受信システムの第３実施の形態の構成例］
【０１２２】
図９は、本技術の信号処理装置を適用した受信システムの第３実施の形態の構成例を示すブロック図である。
【０１２３】
なお、図中、図１、図２、又は、図５の場合と対応する部分については、同一の符号を付してあり、以下では、その説明は、適宜省略する。
【０１２４】
図９において、受信システムは、アンテナ１１、RFチューナ１２、復調部２１、及び、FEC部２２を有する点で、図１の場合と共通する。
【０１２５】
但し、図９の受信システムは、クロック生成部１４に代えて、図２のクロック生成部３０が設けられているとともに、TSインタフェース２３に代えて、図５のTSインタフェース５０を有する点で、図１の場合と相違する。
【０１２６】
クロック生成部３０では、例えば、図３で説明したように、周波数が異なる３つのTSIF用クロックから、１つのTSIF用クロックが選択され、TSインタフェース３０では、例えば、図６で説明したように、（クロック生成部３０で選択された）TSIF用クロック（中間クロック）から、周波数成分が異なる５つの分周クロックが生成されて、その５つの分周クロックから、１つの分周クロックが、TSクロックとして選択される。
【０１２７】
したがって、図９の受信システムでは、15（＝3×5）種類のクロックの中から、TSクロックを選択することができ、受信システムの受信性能の低下を、より軽減することができるTSクロックを選択することができる。
【０１２８】
ここで、図２や、図５、図９の受信システムは、図１の受信システムに対して、それほど、回路規模を大にすることなく、実装することができる。
【０１２９】
なお、本実施の形態では、TSパケットを、シリアルで1ビット単位で出力する場合について説明したが、本技術は、その他、例えば、TSパケットを、パラレルで、8ビット単位等で出力する場合にも適用可能である。
【０１３０】
また、本技術は、TS以外の任意のストリームを出力する場合、すなわち、ストリームを同期させるクロックとともにストリームを出力する場合に適用可能である。
【０１３１】
［本技術を適用したコンピュータの説明］
【０１３２】
次に、上述した一連の処理のうちの少なくとも一部の処理は、ハードウェアにより行うこともできるし、ソフトウェアにより行うこともできる。処理をソフトウェアによって行う場合には、そのソフトウェアを構成するプログラムが、汎用のコンピュータ等にインストールされる。
【０１３３】
そこで、図１０は、処理を実行するプログラムがインストールされるコンピュータの一実施の形態の構成例を示している。
【０１３４】
プログラムは、コンピュータに内蔵されている記録媒体としてのハードディスク１０５やROM１０３に予め記録しておくことができる。
【０１３５】
あるいはまた、プログラムは、リムーバブル記録媒体１１１に格納（記録）しておくことができる。このようなリムーバブル記録媒体１１１は、いわゆるパッケージソフトウエアとして提供することができる。ここで、リムーバブル記録媒体１１１としては、例えば、フレキシブルディスク、CD-ROM(Compact Disc Read Only Memory)，MO(Magneto Optical)ディスク，DVD(Digital Versatile Disc)、磁気ディスク、半導体メモリ等がある。
【０１３６】
なお、プログラムは、上述したようなリムーバブル記録媒体１１１からコンピュータにインストールする他、通信網や放送網を介して、コンピュータにダウンロードし、内蔵するハードディスク１０５にインストールすることができる。すなわち、プログラムは、例えば、ダウンロードサイトから、ディジタル衛星放送用の人工衛星を介して、コンピュータに無線で転送したり、LAN(Local Area Network)、インターネットといったネットワークを介して、コンピュータに有線で転送することができる。
【０１３７】
コンピュータは、CPU(Central Processing Unit)１０２を内蔵しており、CPU１０２には、バス１０１を介して、入出力インタフェース１１０が接続されている。
【０１３８】
CPU１０２は、入出力インタフェース１１０を介して、ユーザによって、入力部１０７が操作等されることにより指令が入力されると、それに従って、ROM(Read Only Memory)１０３に格納されているプログラムを実行する。あるいは、CPU１０２は、ハードディスク１０５に格納されたプログラムを、RAM(Random Access Memory)１０４にロードして実行する。
【０１３９】
これにより、CPU１０２は、上述したフローチャートにしたがった処理、あるいは上述したブロック図の構成により行われる処理を行う。そして、CPU１０２は、その処理結果を、必要に応じて、例えば、入出力インタフェース１１０を介して、出力部１０６から出力、あるいは、通信部１０８から送信、さらには、ハードディスク１０５に記録等させる。
【０１４０】
なお、入力部１０７は、キーボードや、マウス、マイク等で構成される。また、出力部１０６は、LCD(Liquid Crystal Display)やスピーカ等で構成される。
【０１４１】
ここで、本明細書において、コンピュータがプログラムに従って行う処理は、必ずしもフローチャートとして記載された順序に沿って時系列に行われる必要はない。すなわち、コンピュータがプログラムに従って行う処理は、並列的あるいは個別に実行される処理（例えば、並列処理あるいはオブジェクトによる処理）も含む。
【０１４２】
また、プログラムは、１のコンピュータ（プロセッサ）により処理されるものであっても良いし、複数のコンピュータによって分散処理されるものであっても良い。さらに、プログラムは、遠方のコンピュータに転送されて実行されるものであっても良い。
【０１４３】
さらに、本明細書において、システムとは、複数の構成要素（装置、モジュール（部品）等）の集合を意味し、すべての構成要素が同一筐体中にあるか否かは問わない。したがって、別個の筐体に収納され、ネットワークを介して接続されている複数の装置、及び、１つの筐体の中に複数のモジュールが収納されている１つの装置は、いずれも、システムである。
【０１４４】
なお、本技術の実施の形態は、上述した実施の形態に限定されるものではなく、本技術の要旨を逸脱しない範囲において種々の変更が可能である。
【０１４５】
例えば、本技術は、１つの機能をネットワークを介して複数の装置で分担、共同して処理するクラウドコンピューティングの構成をとることができる。
【０１４６】
また、上述のフローチャートで説明した各ステップは、１つの装置で実行する他、複数の装置で分担して実行することができる。
【０１４７】
さらに、１つのステップに複数の処理が含まれる場合には、その１つのステップに含まれる複数の処理は、１つの装置で実行する他、複数の装置で分担して実行することができる。
【０１４８】
なお、本技術は、以下のような構成をとることができる。
【０１４９】
［１］
RF(Radio Frequency)信号に含まれるTS(Transport Stream)をシリアルで出力するときのデータレートであるシリアルレート以上の周波数の複数のクロックから、前記TSのデータのタイミングを表すTSクロックとなる１つのクロックを選択して出力する選択部を備える
信号処理装置。
［２］
所定のシステムクロックを分周することにより、前記シリアルレート以上の周波数の複数のクロックを生成する分周部をさらに備える
［１］に記載の信号処理装置。
［３］
所定のシステムクロックを分周することにより生成されたクロックを分周することにより、前記シリアルレート以上の周波数の複数のクロックを生成する分周部をさらに備える
［１］に記載の信号処理装置。
［４］
所定のシステムクロックを分周することにより、前記シリアルレート以上の周波数の複数の中間クロックを生成する第１の分周部と、
前記第１の分周部で生成された複数の中間クロックから選択された１つの中間クロックを分周することにより、前記シリアルレート以上の周波数の複数のクロックを生成する第２の分周部と
をさらに備え、
前記第１の分周部で生成された複数の中間クロックから１つの中間クロックを選択する第１の選択部と、
前記第２の分周部が前記第１の選択部で選択された１つの中間クロックを分周することにより生成されるシリアルレート以上の周波数の複数のクロックから、１つのクロックを選択して出力する第２の選択部と
を、前記選択部として備える
［１］に記載の信号処理装置。
［５］
前記選択部によるクロックの選択を制御する制御部をさらに備え、
前記制御部は、RF信号への影響が小さい周波数のクロックを選択させる
［１］ないし［４］のいずれかに記載の信号処理装置。
［６］
前記TSは、前記RF信号の復調、及び、誤り訂正を行うことにより得られ、
前記制御部は、前記誤り訂正の結果に基づいて、前記選択部によるクロックの選択を制御する
［５］に記載の信号処理装置。
［７］
RF(Radio Frequency)信号に含まれるTS(Transport Stream)をシリアルで出力するときのデータレートであるシリアルレート以上の周波数の複数のクロックから、前記TSのデータのタイミングを表すTSクロックとなる１つのクロックを選択して出力する選択ステップを含む
信号処理方法。
【符号の説明】
【０１５０】
１１  アンテナ，  １２  RFチューナ，  １３  復調装置，  １４  クロック生成部，  ２１  復調部，  ２２  FEC部，  ２３  TSインタフェース，  ３０  クロック生成部，  ３１  水晶振動子，  ３２  PLL，  ３３  可変分周部，  ３４  選択部，  ３５  制御部，  ４１  PS変換部，  ４２  2分周部，  ４３  3分周部，  ４４  4分周部，  ４５  2+3分周部，  ４６  3+4分周部，  ４７  選択部，  ４８  制御部，  ５０  TSインタフェース，  ６１  可変分周部，  １０１  バス，  １０２  CPU，  １０３  ROM，  １０４  RAM，  １０５  ハードディスク，  １０６  出力部，  １０７  入力部，  １０８  通信部，  １０９  ドライブ，  １１０  入出力インタフェース，  １１１  リムーバブル記録媒体
【図１】
0005811408.tif 000002
【図２】
0005811408.tif 000003
【図３】
0005811408.tif 000004
【図４】
0005811408.tif 000005
【図５】
0005811408.tif 000006
【図６】
0005811408.tif 000007
【図７】
0005811408.tif 000008
【図８】
0005811408.tif 000009
【図９】
0005811408.tif 000010
【図１０】
0005811408.tif 000011